(57)【要約】【課題】電子辞書などの情報表示装置において、初学者等のユーザにおいて重要な見出し語（単語）を容易に検索可能にする。【解決手段】ユーザ所望の検索文字列が１文字ずつ入力される毎に、入力された検索文字列と先頭一致する見出し語（単語）が、ユーザ指定の辞書データ（２２ｂ３）から検索されて見出し語一覧エリアに表示される。この際、入力された検索文字列の文字数が少ないときほど、辞書データ内で検索対象とする見出し語の有する語義容量（説明情報の情報量）の必要量を大きくし、例えば検索文字列１文字の場合[Level1]は、２Ｋバイト以上の語義容量を有する見出し語の中から同検索文字列と先頭一致する見出し語が検索されて一覧表示され、また検索文字列２文字の場合[Level2]は、１Ｋバイト以上の語義容量を有する見出し語の中から同検索文字列と先頭一致する見出し語が検索されて一覧表示される。【選択図】      図４
2012212201.tif 000002
【特許請求の範囲】
【請求項１】
複数の見出し語と当該各見出し語の説明情報とを対応付けた辞書データを記憶する辞書記憶手段と、
ユーザ操作に応じて検索文字列を入力する検索文字入力手段と、
前記辞書記憶手段により記憶された辞書データのうち、検索対象となる見出し語の説明情報の必要情報量を設定する情報量設定手段と、
前記検索文字入力手段により入力された検索文字列に対応した前記辞書データの見出し語であって、且つ、前記情報量設定手段により設定された必要情報量以上の説明情報を有する見出し語を検索する見出し語検索手段と、
この見出し語検索手段により検索された見出し語を一覧にして表示させる見出し語一覧表示手段と、
この見出し語一覧表示手段により一覧表示された見出し語のうち、ユーザ操作に応じて選択された見出し語に対応する説明情報を前記辞書データから読み出して表示させる説明情報表示手段と、
を備えたことを特徴とする情報表示装置。
【請求項２】
前記情報量設定手段は、前記辞書記憶手段により記憶された辞書データのうち、検索対象となる見出し語の説明情報の必要情報量を、前記検索文字入力手段により入力された検索文字列の文字数が少ないほど大きい情報量に設定する、
ことを特徴とする請求項１に記載の情報表示装置。
【請求項３】
前記情報量設定手段は、前記辞書記憶手段により記憶された辞書データのうち、検索対象となる見出し語の説明情報の必要情報量を、ユーザ操作に応じた情報量に設定する、
ことを特徴とする請求項１に記載の情報表示装置。
【請求項４】
前記辞書記憶手段は、カテゴリ別に分類された複数の見出し語と当該各見出し語の説明情報とを対応付けた辞書データを記憶し、
ユーザ操作に応じて前記辞書データのカテゴリを指定するカテゴリ指定手段を備え、
前記見出し語検索手段は、前記カテゴリ指定手段により指定されたカテゴリに分類された前記辞書データの見出し語の中の前記検索文字入力手段により入力された検索文字列に対応した見出し語であって、且つ、前記情報量設定手段により設定された必要情報量以上の説明情報を有する見出し語を検索する、
ことを特徴とする請求項１ないし請求項３の何れか１項に記載の情報表示装置。
【請求項５】
表示部を備えた電子機器のコンピュータを制御するためのプログラムであって、
前記コンピュータを、
複数の見出し語と当該各見出し語の説明情報とを対応付けた辞書データをメモリに記憶させる辞書記憶手段、
ユーザ操作に応じて検索文字列を入力する検索文字入力手段、
前記辞書記憶手段により記憶された辞書データのうち、検索対象となる見出し語の説明情報の必要情報量を設定する情報量設定手段、
前記検索文字入力手段により入力された検索文字列に対応した前記辞書データの見出し語であって、且つ、前記情報量設定手段により設定された必要情報量以上の説明情報を有する見出し語を検索する見出し語検索手段、
この見出し語検索手段により検索された見出し語を一覧にして前記表示部に表示させる見出し語一覧表示手段、
この見出し語一覧表示手段により一覧表示された見出し語のうち、ユーザ操作に応じて選択された見出し語に対応する説明情報を前記辞書データから読み出して前記表示部に表示させる説明情報表示手段、
として機能させるためのプログラム。
【発明の詳細な説明】
【技術分野】
【０００１】
本発明は、電子化された辞書データを検索して表示させるための情報表示装置およびその制御プログラムに関する。
【背景技術】
【０００２】
従来の電子辞書装置において、各種の辞書情報を検索する機能としては、ユーザ入力された検索文字列と先頭一致する見出し語から検索する「見出し語検索」機能がある。
【０００３】
この見出し語検索機能では、所望の検索文字列を１文字ずつ入力して加える毎に、入力された検索文字列と先頭一致する見出し語（単語）が、辞書データからその見出し語（単語）の配列順に検索されて一覧表示される。そして、一覧表示された見出し語の中から所望の見出し語を選択することで、選択された見出し語に対応した説明情報が読み出されて表示される。
【０００４】
この際、前記検索された見出し語の一覧は、当該各見出し語の辞書データ内での配列に応じた順番で表示されるため、ユーザにとって重要度の高い見出し語を優先して表示させることはできない。
【０００５】
任意の検索文字列に応じた見出し語を、複数種類の辞書データから一括検索して一覧表示させる情報表示制御装置において、ユーザの学習レベルに応じて優先的に表示させる辞書を変更することが考えられている（例えば、特許文献１参照。）。
【先行技術文献】
【特許文献】
【０００６】
【特許文献１】特開２００６−１０６８８９号公報
【発明の概要】
【発明が解決しようとする課題】
【０００７】
前記従来の情報表示制御装置では、複数種類の辞書データから見出し語を一括検索して一覧表示させる際に、優先的に一覧表示させる見出し語の辞書をユーザの学習レベルに応じて変更することができる。
【０００８】
しかしながら、見出し語そのものの重要度を考慮して、特に初学者等のユーザがより早く目的とする見出し語（単語）を検索可能にするものではない。
【０００９】
本発明は、このような課題に鑑みなされたもので、初学者等のユーザにおいて重要な見出し語（単語）を容易に検索することが可能になる情報表示装置およびその制御プログラムを提供することを目的とする。
【課題を解決するための手段】
【００１０】
本発明に係る情報表示装置は、複数の見出し語と当該各見出し語の説明情報とを対応付けた辞書データを記憶する辞書記憶手段と、ユーザ操作に応じて検索文字列を入力する検索文字入力手段と、前記辞書記憶手段により記憶された辞書データのうち、検索対象となる見出し語の説明情報の必要情報量を設定する情報量設定手段と、前記検索文字入力手段により入力された検索文字列に対応した前記辞書データの見出し語であって、且つ、前記情報量設定手段により設定された必要情報量以上の説明情報を有する見出し語を検索する見出し語検索手段と、この見出し語検索手段により検索された見出し語を一覧にして表示させる見出し語一覧表示手段と、この見出し語一覧表示手段により一覧表示された見出し語のうち、ユーザ操作に応じて選択された見出し語に対応する説明情報を前記辞書データから読み出して表示させる説明情報表示手段と、を備えたことを特徴としている。
【発明の効果】
【００１１】
本発明によれば、初学者等のユーザにおいて重要な見出し語（単語）を容易に検索することが可能になる情報表示装置およびその制御プログラムを提供できる。
【図面の簡単な説明】
【００１２】
【図１】本発明の情報表示装置の実施形態に係る電子辞書装置１０の外観構成を示す正面図。
【図２】前記電子辞書装置１０の電子回路の構成を示すブロック図。
【図３】前記電子辞書装置１０の語義容量設定テーブル２６ｃに設定された語義容量の具体例を示す図。
【図４】前記電子辞書装置１０の［英英辞典］２２ｂ３に集録された各見出し語とその説明情報の情報量（語義容量）との関係を示す図。
【図５】前記電子辞書装置１０の辞書検索・情報表示制御プログラム２２ａに従い実行される第１実施形態の見出し語検索処理を示すフローチャート。
【図６】前記電子辞書装置１０の第１実施形態の見出し語検索処理に伴う［英英辞典］２２ｂ３の検索表示動作を示す図。
【図７】前記電子辞書装置１０の第１実施形態（変形例）の見出し語検索処理に伴う［英英辞典］２２ｂ３の検索表示動作を示す図。
【図８】前記電子辞書装置１０の辞書データベース２２ｂに記憶される［百科辞典］２２ｂ４のデータ構造を示す図。
【図９】前記電子辞書装置１０の辞書検索・情報表示制御プログラム２２ａに従い実行される第２実施形態の見出し語検索処理を示すフローチャート。
【図１０】前記電子辞書装置１０の第２実施形態の見出し語検索処理に伴う［百科辞典］２２ｂ４の検索表示動作を示す図。
【発明を実施するための形態】
【００１３】
以下図面により本発明の実施の形態について説明する。
【００１４】
図１は、本発明の情報表示装置の実施形態に係る電子辞書装置１０の外観構成を示す正面図である。
【００１５】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１６】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、スピーカ１５などを備えたキー入力部（キーボード）１４、およびタッチパネル式サブ表示部１６が備えられる。
【００１７】
このタッチパネル式サブ表示部１６は、ユーザがペンや指等でタッチした位置を検出するタッチ位置検出装置と表示装置が一体となった構造であり、キー入力部１４の中央手前側において例えば２５６×６４ドットのカラー液晶表示画面１６ｄに透明タッチパネル１６ｔを重ねて構成される。このタッチパネル式サブ表示部１６の領域は、必要に応じて、手書き文字を入力するための手書き文字（漢字）入力領域や各種機能のアイコン入力領域、あるいは当該各領域が混在する領域に切り替えられる。
【００１８】
そして、前記サブ表示部１６が手書き文字入力領域に切り替えられた状態での手書き入力に伴う軌跡はそのカラー液晶表示画面１６ｄにエコーバックして表示される。
【００１９】
また蓋体ケース１２の表面には、そのほぼ全面を対象に例えば４８０×３２０ドットのバックライト付きのタッチパネル式メイン表示部１７が設けられる。このタッチパネル式メイン表示部１７も、前記サブ表示部１６と同様に、ユーザがペンや指等でタッチした位置を検出するタッチ位置検出装置と表示装置が一体となった構造であり、カラー液晶表示画面１７ｄに透明タッチパネル１７ｔを重ねて構成される。
【００２０】
そして、前記タッチパネル式メイン表示部１７の右端には、前記キー入力部１４における一部のキーの押下操作をタッチ操作により行うための、キー表記（例えば［訳／決定］キーＫＥや［戻る／リスト］キーＫＲ）が固定印刷されたタッチキーエリア１７Ａが設けられる。
【００２１】
同図１におけるメイン表示部１７は、［英英辞典］を検索対象辞書に指定して見出し語検索した場合の見出し語検索画面Ｇｓの具体例を示している。
【００２２】
この見出し語検索画面Ｇｓは、検索語入力エリアＫＡにて１文字ずつユーザ入力された検索文字列に基づき前記指定の辞書［英英辞典］から先頭一致検索された見出し語一覧エリアＭＬと、この見出し語一覧エリアＭＬにおいて反転カーソルＣｕにより選択された見出し語の説明情報を確認するプレビューエリアＶＰとから構成される。
【００２３】
この見出し語検索画面Ｇｓにおいて、［訳／決定］キー１４ｃ（ＫＥ）が操作されると、プレビューエリアＶＰに表示されている説明情報が、メイン表示部１７の全領域を使用した説明情報表示画面（図示せず）に展開されて表示される。
【００２４】
図２は、前記電子辞書装置１０の電子回路の構成を示すブロック図である。
【００２５】
この電子辞書装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２６】
ＣＰＵ２１は、記憶装置（フラッシュＲＯＭ）２２内に予め記憶された装置制御プログラム、あるいはＲＯＭカードなどの外部記録媒体２３から記録媒体読み取り部２４を介して前記記憶装置２２に読み込まれた装置制御プログラム、あるいはインターネットＮ上のＷｅｂサーバ（この場合はプログラムサーバ）３０から通信部２５を介して前記記憶装置２２に読み込まれた装置制御プログラムに応じて、回路各部の動作を制御する。
【００２７】
前記記憶装置２２に記憶された装置制御プログラムは、キー入力部１４、タッチパネル式サブ表示部１６、タッチパネル式メイン表示部１７からのユーザ操作に応じた入力信号、あるいは通信部２５を介して接続されるインターネットＮ上の各Ｗｅｂサーバ３０…との通信信号、あるいは記録媒体読み取り部２４を介して外部接続されるＥＥＰＲＯＭ，ＲＡＭ，ＲＯＭなどのメモリ・カード（記録媒体）２３との接続通信信号に応じて起動される。
【００２８】
このように前記ＣＰＵ２１には、記憶装置２２、記録媒体読み取り部２４、通信部２５、キー入力部１４、タッチパネル式サブ表示部１６（１６ｄ，１６ｔ）、タッチパネル式メイン表示部１７（１７ｄ，１７ｔ）などが接続される。
【００２９】
前記記憶装置２２に記憶される装置制御プログラムとしては、当該電子辞書装置１０の全体の動作を司るシステムプログラムや、通信部２５を介してインターネットＮ上の各Ｗｅｂサーバ３０…や図示しないユーザＰＣ(Personal Computer)などとデータ通信するための通信プログラムが記憶される。
【００３０】
また、入力された検索文字列に応じて辞書データを検索する見出し語検索処理、カテゴリ分類された階層構造の辞書データを検索するカテゴリ検索処理、検索された辞書データの説明情報（訳語・語義／図・解説など）の読み出し表示処理など、同記憶装置２２内に記憶された辞書データベース２２ｂに基づく処理全般を制御するための各種辞書検索・情報表示制御プログラム２２ａが記憶される。
【００３１】
前記辞書データベース２２ｂとしては、［国語辞典］２２ｂ１、［英和辞典］２２ｂ２、［英英辞典］２２ｂ３、［百科辞典］２２ｂ４などの各種の辞書データが予めあるいはダウンロードされて記憶され、各種の辞書データには、各見出し語と当該各見出し語の説明情報とが対応付けられて記述される。
【００３２】
なお、前記［百科辞典］２２ｂ４の辞書データは、カテゴリ分類された大分類→中分類→各見出し語の階層構造を有する。
【００３３】
ＲＡＭ２６には、メイン画面データメモリ２６ａ、サブ画面データメモリ２６ｂ、語義容量設定テーブル２６ｃなどの作業用のメモリ領域が確保される。
【００３４】
メイン画面データメモリ２６ａには、前記タッチパネル式メイン表示部１７に表示させる表示データがビットマップパターンに展開されて記憶される。
【００３５】
サブ画面データメモリ２６ｂには、前記タッチパネル式サブ表示部１６に表示させる表示データがビットマップパターンに展開されて記憶される。
【００３６】
図３は、前記電子辞書装置１０の語義容量設定テーブル２６ｃに設定された語義容量の具体例を示す図である。
【００３７】
語義容量設定テーブル２６ｃは、辞書データ（２２ｂｎ）の見出し語検索処理において、検索対象となる辞書（２２ｂｎ）内の見出し語の説明情報として必要な情報量（語義容量）を設定するもので、例えば、検索文字列が１文字入力された状態[Level 1]で検索対象として見出し語に必要な語義容量は［２Ｋバイト以上］に設定され、同２文字入力された状態[Level 2]で必要な語義容量は［１Ｋバイト以上］、同３文字入力された状態[Level 3]で必要な語義容量は［５１２バイト以上］、同４文字入力された状態[Level 4]で必要な語義容量は［１２８バイト以上］、同５文字以上入力された状態[Level 5]で必要な語義容量は［なし］に設定される。
【００３８】
つまり、前記[Level 1]では［２Ｋバイト以上］の語義容量を有する見出し語の中から見出し語検索され、前記[Level 2]では［１Ｋバイト以上］の語義容量を有する見出し語の中から見出し語検索されるもので、検索文字列の文字数が少ない検索開始ほど語義容量（説明情報の情報量）が大きく重要度の高い基礎的な見出し語（基本単語等）が検索対象に設定される。そして、検索文字列の文字列が増えて当該検索文字列による絞り込みが強くなるほど、前記語義容量の設定条件は緩和される。
【００３９】
図４は、前記電子辞書装置１０の［英英辞典］２２ｂ３に集録された各見出し語とその説明情報の情報量（語義容量）との関係を示す図である。
【００４０】
例えば、図４（Ａ）に示すように、単語「run」を基本形とする各単語「runabout」「runaround」…それぞれの語義容量からも明らかなように、基本単語「run」の語義容量［５９０６バイト］は飛び抜けて大きく、広い意味合いを有することから重要単語であることが分かる。
【００４１】
前記図３で示した語義容量設定テーブル２６ｃにて設定された語義容量を条件とし、前記［英英辞典］２２ｂ３を検索対象に指定して見出し語検索した場合に、検索文字列の第１文字「r」を入力すると[Level 1]、図４（Ｂ）に示すように、検索文字列「r」に先頭一致する見出し語は、［２Ｋバイト以上］の語義容量を有する８つの見出し語「read」…「rush」に絞られ、また、検索文字列の第２文字「ru」まで入力すると[Level 2]、図４（Ｃ）に示すように、検索文字列「ru」に先頭一致する見出し語は、［１Ｋバイト以上］の語義容量を有する３つの見出し語「rule」「run」「rush」に絞られ、また、検索文字列の第３文字「run」まで入力すると[Level 3]、図４（Ｄ）に示すように、検索文字列「run」に先頭一致する見出し語は、［５１２バイト以上］の語義容量を有する３つの見出し語「run」「runner」「running」に絞られる。
【００４２】
このように構成された電子辞書装置１０は、ＣＰＵ２１が前記辞書検索・情報表示制御プログラム２２ａ（前記見出し語検索処理、カテゴリ検索処理、説明情報読み出し表示処理等を実行するためのプログラムを含む）に記述された命令に従い回路各部の動作を制御し、ソフトウエアとハードウエアとが協働して動作することにより、以下の動作説明で述べる機能を実現する。
【００４３】
次に、前記構成による電子辞書装置１０の動作について説明する。
【００４４】
（第１実施形態）
図５は、前記電子辞書装置１０の辞書検索・情報表示制御プログラム２２ａに従い実行される第１実施形態の見出し語検索処理を示すフローチャートである。
【００４５】
図６は、前記電子辞書装置１０の第１実施形態の見出し語検索処理に伴う［英英辞典］２２ｂ３の検索表示動作を示す図である。
【００４６】
辞書指定キー１４ｂのユーザ操作に応じて、［英英辞典］２２ｂ３が指定され、図５における見出し語検索処理が起動されると、図６（Ａ）または（Ｂ）に示すように、メイン表示部１７に対して、検索語入力エリアＫＡを有する見出し語検索画面Ｇｓが初期画面として表示される（ステップＳ１）。
【００４７】
この見出し語検索画面Ｇｓが初期表示されると、検索文字列の文字数カウンタＮ＝０にリセットされる（ステップＳ２）。
【００４８】
ユーザが、例えば英単語「run」を調べたい場合に、前記検索語入力エリアＫＡに第１文字「r」と入力すると（ステップＳ３）、前記文字数カウンタＮがインクリメントされてＮ＝１にセットされ（ステップＳ４）、Ｎは４文字以下［Ｎ＞４（Ｎｏ）］と判断される（ステップＳ５（Ｎｏ））。
【００４９】
すると、前記検索文字列「r」の文字数カウンタＮ＝１に従い、前記語義容量設定テーブル２６ｃ（図３参照）における語義容量設定レベルＬｖ＝[Level 1]に設定され、図４（Ｂ）で示したように、前記検索文字列「r」と先頭一致し且つ語義容量［２Ｋバイト以上］を有する８つの見出し語「read」…「rush」が検索されて抽出される（ステップＳ６）。
【００５０】
そして、図６（Ｂ）に示すように、前記検索された８つの見出し語「read」…「rush」が、見出し語検索画面Ｇｓの見出し語一覧エリアＭＬに一覧表示される（ステップＳ７（Ｙｅｓ）→Ｓ８）。
【００５１】
この際、前記語義容量設定テーブル２６ｃ（図３参照）に従い、検索文字列１文字に応じて検索対象となる見出し語の語義容量が［２Ｋバイト以上］に設定されたことで、直ちに所望の見出し語「run」が見出し語一覧エリアＭＬに検索されて表示される。
【００５２】
ここで、前記見出し語一覧エリアＭＬに表示された所望の見出し語「run」が反転カーソルＣｕにより選択されて指定されると（ステップＳ９（Ｙｅｓ））、当該見出し語「run」に対応する説明情報が［英英辞典］２２ｂ３から読み出されてプレビューエリアＶＰに表示される（ステップＳ１１）。
【００５３】
なお、前記語義容量設定テーブル２６ｃに従った語義容量の設定がされない場合に、検索文字列「r」が入力されると、図６（Ａ）に示すように、当該検索文字列「r」に先頭一致する［英英辞典］２２ｂ３の全ての見出し語が当該辞書内の配列順に検索されて見出し語一覧エリアＭＬに表示されるので、前記所望の見出し語「run」が直ちに見出し語一覧エリアＭＬに表示されることはない。
【００５４】
一方、英単語「runing」を調べたい場合には、前記図６（Ｂ）で示したように、検索語入力エリアＫＡに検索文字列の第１文字「r」が入力された見出し語検索状態で（ステップＳ８）、引き続き、図６（Ｃ）に示すように、前記検索語入力エリアＫＡに第２文字「ru」まで入力すると（ステップＳ１０（Ｙｅｓ））、前記文字数カウンタＮがインクリメントされてＮ＝２にセットされ（ステップＳ４）、再びＮは４文字以下［Ｎ＞４（Ｎｏ）］と判断される（ステップＳ５（Ｎｏ））。
【００５５】
すると、前記検索文字列「ru」の文字数カウンタＮ＝２に従い、前記語義容量設定テーブル２６ｃ（図３参照）における語義容量設定レベルＬｖ＝[Level 2]に設定され、図４（Ｃ）で示したように、前記検索文字列「ru」と先頭一致し且つ語義容量［１Ｋバイト以上］を有する３つの見出し語「rule」「run」「rush」が検索されて抽出される（ステップＳ６）。
【００５６】
そして、前記検索された３つの見出し語「rule」「run」「rush」が、見出し語検索画面Ｇｓの見出し語一覧エリアＭＬに一覧表示される（ステップＳ７（Ｙｅｓ）→Ｓ８）。
【００５７】
ここでさらに、図６（Ｄ）に示すように、前記検索語入力エリアＫＡに第３文字「run」まで入力すると（ステップＳ１０（Ｙｅｓ））、前記文字数カウンタＮがインクリメントされてＮ＝３にセットされ（ステップＳ４）、再びＮは４文字以下［Ｎ＞４（Ｎｏ）］と判断される（ステップＳ５（Ｎｏ））。
【００５８】
すると、前記検索文字列「run」の文字数カウンタＮ＝３に従い、前記語義容量設定テーブル２６ｃ（図３参照）における語義容量設定レベルＬｖ＝[Level 3]に設定され、図４（Ｄ）で示したように、前記検索文字列「run」と先頭一致し且つ語義容量［５１２バイト以上］を有する３つの見出し語「run」「runner」「running」が検索されて抽出される（ステップＳ６）。
【００５９】
そして、前記検索された３つの見出し語「run」「runner」「running」が、見出し語検索画面Ｇｓの見出し語一覧エリアＭＬに一覧表示される（ステップＳ７（Ｙｅｓ）→Ｓ８）。
【００６０】
この際、前記語義容量設定テーブル２６ｃ（図３参照）に従い、検索文字列３文字に応じて検索対象となる見出し語の語義容量が［５１２バイト以上］に設定されたことで、検索文字列「run」と先頭一致する見出し語であっても当該語義容量［５１２バイト］未満の見出し語が抽出されることはなく、早い段階で所望の見出し語「running」が見出し語一覧エリアＭＬに検索されて表示される。
【００６１】
この後、前記同様に検索語入力エリアＫＡに対する検索文字列が４文字まで入力されると（ステップＳ１０（Ｙｅｓ））、文字数カウンタＮ＝４に従い（ステップＳ４）、前記語義容量設定テーブル２６ｃ（図３参照）における語義容量設定レベルＬｖ＝[Level 4]に設定され（ステップＳ５（Ｎｏ））、当該４文字の検索文字列と先頭一致し且つ語義容量［１２８バイト以上］を有する見出し語が検索されて一覧表示される（ステップＳ６〜Ｓ８）。
【００６２】
またさらに、前記同様に検索語入力エリアＫＡに対する検索文字列が５文字以上入力されると（ステップＳ１０（Ｙｅｓ））、文字数カウンタＮ＝５に固定される（ステップＳ４，Ｓ５（Ｙｅｓ），Ｓ５ａ）。この場合、前記語義容量設定テーブル２６ｃ（図３参照）における語義容量設定レベルＬｖ＝[Level 5]に設定され、検索対象となる見出し語の語義容量の必要条件は無くなる。
【００６３】
なお、前記ステップＳ６，Ｓ７において、検索語入力エリアＫＡに入力された検索文字列と先頭一致する見出し語が検索されない場合には（ステップＳ７（Ｎｏ））、前記見出し語検索画面Ｇｓにエラーメッセージ「該当する候補がありません。」が表示される（ステップＳ１２）。
【００６４】
したがって、前記構成の電子辞書装置１０における第１実施形態の見出し語検索機能によれば、検索語入力エリアＫＡにユーザ所望の検索文字列が１文字ずつ入力される毎に、当該入力された検索文字列と先頭一致する見出し語が、ユーザ指定の辞書データから検索されて見出し語一覧エリアＭＬに一覧表示される。この際、前記入力された検索文字列の文字数が少ないときほど、前記辞書データ内で検索対象とする見出し語の有する語義容量（説明情報の情報量）の必要条件を大きくし、例えば検索文字列１文字の場合[Level 1]は、１つの見出し語の情報量としては大きい２Ｋバイト以上の語義容量を有する見出し語の中から同検索文字列と先頭一致する見出し語が検索されて一覧表示され、また検索文字列２文字の場合[Level 2]は、１Ｋバイト以上の語義容量を有する見出し語の中から同検索文字列と先頭一致する見出し語が検索されて一覧表示される。
【００６５】
このため、ユーザの検索文字列の入力操作に応じて、語義容量が大きく重要度の高い基礎的な見出し語（単語）を優先的に検索して一覧表示させることができ、特に、初学者等のユーザにおいて重要な見出し語（単語）を容易に検索することが可能になる。
【００６６】
なお、前記第１実施形態では、検索文字列の入力開始からその入力文字数に応じて、語義容量設定テーブル２６ｃに従い設定される必要語義容量を、[Level 1]〜[Level 5]と順次変化させる構成とした。これに対し、次の図７を参照して説明するように、検索文字列の入力文字数とは関係なく、ユーザが適宜任意の必要語義容量[Level 1]〜[Level 5]を選択的に指定できる構成としてもよい。
【００６７】
図７は、前記電子辞書装置１０の第１実施形態（変形例）の見出し語検索処理に伴う［英英辞典］２２ｂ３の検索表示動作を示す図である。
【００６８】
この第１実施形態（変形例）では、図７（Ａ）に示すように、見出し語検索処理の起動に従いタッチパネル式メイン表示部１７に見出し語検索画面Ｇｓを表示させるのに伴い、タッチパネル式サブ表示部１６に対して、語義容量の設定条件[Level 1]〜[Level 5]を選択的に指定するためのレベル切替ボタンＢＬを表示させる。
【００６９】
例えば所望の単語「running」を調べたい場合に、図７（Ａ）に示すように、タッチパネル式サブ表示部１６に表示されたレベル切替ボタンＢＬにおいて、語義容量の設定条件[Level 1]〜[Level 5]が何も指定されてない状態で、検索文字列「run」を入力すると、［英英辞典］２２ｂ３から当該検索文字列「run」と先頭一致する８つの見出し語「run」…「runner-up」が検索されて見出し語一覧エリアＭＬに表示される。
【００７０】
ここで、図７（Ｂ）に示すように、タッチパネル式サブ表示部１６に表示されたレベル切替ボタンＢＬの[Level 3]を選択的にタッチして反転表示Ｈさせると、検索対象となる見出し語の語義容量（説明情報の情報量）が［５１２バイト以上］（図３参照）に設定される。
【００７１】
すると、前記検索文字列「run」と先頭一致し且つ語義容量［５１２バイト以上］を有する３つの見出し語「run」「runner」「running」が検索されて抽出され、前記見出し語一覧エリアＭＬに一覧表示される。
【００７２】
これにより、検索文字列「run」と先頭一致する見出し語であっても、レベル切替ボタンＢＬを選択的に指定することで、指定された語義容量［５１２バイト］未満の見出し語は検索されなくなり、早い段階で重要度の高い見出し語「running」を検索して見出し語一覧エリアＭＬに表示させることができる。
【００７３】
（第２実施形態）
この第２実施形態では、階層構造にカテゴリが分類された［百科辞典］２２ｂ４等の辞書データを検索する際に、語義容量（説明情報の情報量）の大きな見出し語が優先的に検索されるように構成した前記第１実施形態の見出し語検索機能に加えて、検索対象となる見出し語の分類をユーザが指定できるようにし、より早い段階で重要度の高いユーザ所望の見出し語が検索されるように構成する。
【００７４】
図８は、前記電子辞書装置１０の辞書データベース２２ｂに記憶される［百科辞典］２２ｂ４のデータ構造を示す図である。
【００７５】
例えば［百科辞典］２２ｂ４の第１階層となる大分類のカテゴリとしては［人名］…［歴史］…を有し、そのうち［人名］に属し第２階層となる中分類のカテゴリとしては［歴史］［文学］［音楽］…を有する。そして、この中分類のカテゴリ毎に当該分類に属する各見出し語とその説明情報が第３階層として対応付けされる。
【００７６】
図９は、前記電子辞書装置１０の辞書検索・情報表示制御プログラム２２ａに従い実行される第２実施形態の見出し語検索処理を示すフローチャートである。
【００７７】
この図９で示す第２実施形態の見出し語検索処理において、［入力文字数に応じた検索処理］（ステップＡＸ）は、前記図５で示した第１実施形態の見出し語検索処理における［入力文字数に応じた設定語義容量に基づく見出し語検索処理］（ステップＳ４〜Ｓ７）に相当する。
【００７８】
図１０は、前記電子辞書装置１０の第２実施形態の見出し語検索処理に伴う［百科辞典］２２ｂ４の検索表示動作を示す図である。
【００７９】
辞書指定キー１４ｂのユーザ操作に応じて、［百科辞典］２２ｂ４が指定され、図９における見出し語検索処理が起動されると、図１０（Ａ）に示すように、タッチパネル式メイン表示部１７に対して、検索語入力エリアＫＡを有する見出し語検索画面Ｇｓが初期画面として表示される（ステップＡ１）。
【００８０】
またこれと共に、タッチパネル式サブ表示部１６に対して、前記［百科辞典］２２ｂ４のデータ構造に対応したカテゴリ（分類）選択画面ＴＳが表示される（ステップＡ２）。
【００８１】
ここで、前記タッチパネル式サブ表示部１６に表示されたカテゴリ（分類）選択画面ＴＳにて何もカテゴリが選択されることなく（ステップＡ３（Ｎｏ））、検索語入力エリアＫＡに検索文字列が入力されると（ステップＡ４（Ｙｅｓ））、前記第１実施形態の見出し語検索処理での動作と同様に、検索文字列の文字数に応じた語義容量（説明情報の情報量）が設定され、当該検索文字列と先頭一致し且つ設定された語義容量を有する見出し語が検索される（ステップＡ５（Ｎｏ）→ＡＸ）。そして、検索された各見出し語が前記見出し語検索画面Ｇｓの見出し語一覧エリアＭＬに表示される（ステップＡ６（Ｙｅｓ）→Ａ７）。
【００８２】
この後、前記検索語入力エリアＫＡに検索文字列が１文字ずつ追加入力される毎に、前記同様の処理が繰り返され、当該検索文字列と先頭一致し且つその文字数に応じて設定された語義容量を有する見出し語が検索されて一覧表示される（ステップＡ９（Ｙｅｓ）→Ａ３〜Ａ７）。
【００８３】
例えば図１０（Ａ）に示すような［百科辞典］２２ｂ４の見出し語検索画面Ｇｓおよびカテゴリ（分類）選択画面ＴＳが表示された状態で、当該カテゴリ（分類）選択画面ＴＳにて何もカテゴリを選択することなく、検索語入力エリアＫＡに５文字の検索文字列「とうきょう」が入力されると、語義容量の設定レベル[Level 5]（設定なし）となるので、前記検索文字列「とうきょう」と先頭一致する全ての見出し語「とうきょう（東京）」「とうきょう（東教）」…が前記［百科辞典］２２ｂ４から検索され、見出し語一覧エリアＭＬに一覧表示される（ステップＡ１〜Ａ８（Ｎｏ）→Ａ９（Ｙｅｓ）→Ａ３〜Ａ７）。
【００８４】
ここで、前記見出し語一覧エリアＭＬに表示された所望の見出し語「とうきょう（東京）」が反転カーソルＣｕにより選択されて指定されると（ステップＡ８（Ｙｅｓ））、当該見出し語「とうきょう（東京）」に対応する説明情報が［百科辞典］２２ｂ４から読み出されてプレビューエリアＶＰに表示される（ステップＡ１０）。
【００８５】
前記図１０（Ａ）で示しように、カテゴリ選択なしでの検索文字列「とうきょう」と先頭一致する各見出し語が検索されて見出し語一覧エリアＭＬに表示された状態で、図１０（Ｂ）に示すように、サブ表示部１６に表示されたカテゴリ（分類）選択画面ＴＳのカテゴリ「歴史−日本史」が選択的に指定されて反転表示Ｈされると（ステップＡ３（Ｙｅｓ）→Ａ１１）、見出し語一覧（ＭＬ）の表示中であると判断される（ステップＡ１２（Ｙｅｓ））。そして、前記指定のカテゴリ（分類）「歴史−日本史」に属する各見出し語のうち、前記検索文字列「とうきょう」の文字数に応じた設定語義容量を有する見出し語の中から、当該検索文字列「とうきょう」と先頭一致する見出し語「とうきょうさいばん（東京裁判）」「とうきょうだいくうしゅう（東京大空襲）」…が検索され（ステップＡＸ′）、見出し語一覧エリアＭＬに一覧表示される（ステップＡ６（Ｙｅｓ）→Ａ７）。
【００８６】
一方、前記検索語入力エリアＫＡに検索文字列が入力されていない状態で、サブ表示部１６のカテゴリ（分類）選択画面ＴＳにて何れかのカテゴリが選択的に指定された場合には（ステップＡ３（Ｙｅｓ）→Ａ１１，Ａ１２（Ｎｏ））、当該指定されたカテゴリ（分類）はＲＡＭ２６に記憶される（ステップＡ１３）。
【００８７】
そして、これ以降の見出し語検索処理において、前記検索語入力エリアＫＡに検索文字列が入力されると（ステップＡ４（Ｙｅｓ））、前記ＲＡＭ２６に記憶されたカテゴリ（分類）の指定があると判断される（ステップＡ５（Ｙｅｓ））。
【００８８】
すると、前記ＲＡＭ２６に記憶された指定のカテゴリ（分類）に属する各見出し語のうち、前記検索文字列の文字数に応じた設定語義容量を有する見出し語の中から、当該検索文字列と先頭一致する見出し語が検索され（ステップＡＸ′）、見出し語一覧エリアＭＬに一覧表示される（ステップＡ６（Ｙｅｓ）→Ａ７）。
【００８９】
したがって、前記構成の電子辞書装置１０における第２実施形態の見出し語検索機能によれば、検索文字列と先頭一致する見出し語であっても、当該検索文字列の文字数に応じて設定された語義容量未満の見出し語は検索されなくなり、しかもユーザにより指定されたカテゴリ（分類）の見出し語に絞り込まれて検索されるので、より早い段階で重要度の高いユーザ所望の見出し語を検索して見出し語一覧エリアＭＬに表示させることができる。
【００９０】
なお、前記各実施形態において記載した電子辞書装置１０による各処理の手法およびデータベース、すなわち、図５のフローチャートに示す第１実施形態の見出し語検索処理、図９のフローチャートに示す第２実施形態の見出し語検索処理などの各手法、および辞書データベース２２ｂや語義容量設定テーブル２６ｃは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、コンピュータは、この外部記録媒体２３に記憶されたプログラムを記憶装置２２に読み込み、この読み込んだプログラムによって動作が制御されることにより、前記各実施形態において説明した必要語義容量や指定カテゴリの条件を設定した見出し語検索機能を実現し、前述した手法による同様の処理を実行することができる。
【００９１】
また、前記各手法を実現するためのプログラムのデータは、プログラムコードの形態としてネットワークＮ上を伝送させることができ、このプログラムデータを、ネットワークＮに接続されたコンピュータに通信部２５によって取り込むことで、前述した必要語義容量や指定カテゴリの条件を設定した見出し語検索機能を実現することもできる。
【００９２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９３】
以下に、本願出願の当初の特許請求の範囲に記載された発明を付記する。
【００９４】
［１］
複数の見出し語と当該各見出し語の説明情報とを対応付けた辞書データを記憶する辞書記憶手段と、
ユーザ操作に応じて検索文字列を入力する検索文字入力手段と、
前記辞書記憶手段により記憶された辞書データのうち、検索対象となる見出し語の説明情報の必要情報量を設定する情報量設定手段と、
前記検索文字入力手段により入力された検索文字列に対応した前記辞書データの見出し語であって、且つ、前記情報量設定手段により設定された必要情報量以上の説明情報を有する見出し語を検索する見出し語検索手段と、
この見出し語検索手段により検索された見出し語を一覧にして表示させる見出し語一覧表示手段と、
この見出し語一覧表示手段により一覧表示された見出し語のうち、ユーザ操作に応じて選択された見出し語に対応する説明情報を前記辞書データから読み出して表示させる説明情報表示手段と、
を備えたことを特徴とする情報表示装置。
【００９５】
［２］
前記情報量設定手段は、前記辞書記憶手段により記憶された辞書データのうち、検索対象となる見出し語の説明情報の必要情報量を、前記検索文字入力手段により入力された検索文字列の文字数が少ないほど大きい情報量に設定する、
ことを特徴とする［１］に記載の情報表示装置。
【００９６】
［３］
前記情報量設定手段は、前記辞書記憶手段により記憶された辞書データのうち、検索対象となる見出し語の説明情報の必要情報量を、ユーザ操作に応じた情報量に設定する、
ことを特徴とする［１］に記載の情報表示装置。
【００９７】
［４］
前記辞書記憶手段は、カテゴリ別に分類された複数の見出し語と当該各見出し語の説明情報とを対応付けた辞書データを記憶し、
ユーザ操作に応じて前記辞書データのカテゴリを指定するカテゴリ指定手段を備え、
前記見出し語検索手段は、前記カテゴリ指定手段により指定されたカテゴリに分類された前記辞書データの見出し語の中の前記検索文字入力手段により入力された検索文字列に対応した見出し語であって、且つ、前記情報量設定手段により設定された必要情報量以上の説明情報を有する見出し語を検索する、
ことを特徴とする［１］ないし［３］の何れかに記載の情報表示装置。
【００９８】
［５］
表示部を備えた電子機器のコンピュータを制御するためのプログラムであって、
前記コンピュータを、
複数の見出し語と当該各見出し語の説明情報とを対応付けた辞書データをメモリに記憶させる辞書記憶手段、
ユーザ操作に応じて検索文字列を入力する検索文字入力手段、
前記辞書記憶手段により記憶された辞書データのうち、検索対象となる見出し語の説明情報の必要情報量を設定する情報量設定手段、
前記検索文字入力手段により入力された検索文字列に対応した前記辞書データの見出し語であって、且つ、前記情報量設定手段により設定された必要情報量以上の説明情報を有する見出し語を検索する見出し語検索手段、
この見出し語検索手段により検索された見出し語を一覧にして前記表示部に表示させる見出し語一覧表示手段、
この見出し語一覧表示手段により一覧表示された見出し語のうち、ユーザ操作に応じて選択された見出し語に対応する説明情報を前記辞書データから読み出して前記表示部に表示させる説明情報表示手段、
として機能させるためのプログラム。
【符号の説明】
【００９９】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…［訳／決定］キー
１４ｄ…［戻る／リスト］キー
１４ｅ…カーソルキー
１５  …スピーカ
１６  …サブ表示部
１６ｄ…カラー液晶表示部
１６ｔ…透明タッチパネル
１７  …メイン表示部
１７ｄ…カラー液晶表示部
１７ｔ…透明タッチパネル
１７Ａ…タッチキーエリア
２１  …ＣＰＵ
２２  …記憶装置
２２ａ…各種辞書検索・情報表示制御プログラム
２２ｂ…辞書データベース
２２ｂ３…［英英辞典］
２２ｂ４…［百科辞典］
２３  …外部記録媒体
２４  …記録媒体読み取り部
２５  …通信部
２６  …ＲＡＭ
２６ａ…メイン画面データメモリ
２６ｂ…サブ画面データメモリ
２６ｃ…語義容量設定テーブル
Ｇｓ  …見出し語検索画面
ＫＡ  …検索語入力エリア
ＭＬ…見出し語一覧エリア
Ｃｕ…反転カーソル
ＶＰ  …プレビューエリア
ＢＬ  …レベル切替ボタン（語義容量設定レベル）
Ｈ    …反転表示
ＴＳ  …カテゴリ（分類）選択画面
【図１】
2012212201.tif 000003
【図２】
2012212201.tif 000004
【図３】
2012212201.tif 000005
【図４】
2012212201.tif 000006
【図５】
2012212201.tif 000007
【図６】
2012212201.tif 000008
【図７】
2012212201.tif 000009
【図８】
2012212201.tif 000010
【図９】
2012212201.tif 000011
【図１０】
2012212201.tif 000012